(57)【要約】【課題】Ｈ形鋼のフランジとデッキプレートとを迅速かつ効率的に連結することができるデッキプレート連結部材を提供する。【解決手段】デッキプレート連結部材は、Ｈ形鋼のフランジに嵌め込む嵌合部と嵌合部に繋がる係止部とを有する設置金具と、設置金具の係止部に係止される一端部とデッキプレートの端縁部に係止される他端部とを有する繋止金具とから形成されている。デッキプレート連結部材では、嵌合部を介して設置金具がフランジに取り付けられ、繋止金具の他端部がデッキプレートの端縁部に係止・固定されるとともに、繋止金具の一端部が設置金具の係止部に係止・固定されることで、デッキプレートがＨ形鋼のフランジに連結される。【選択図】図１３
2020186602.tif 000002
【特許請求の範囲】
【請求項１】
建造物の梁を形成する鋼材に所定面積のデッキプレートを連結するデッキプレート連結部材において、
前記デッキプレート連結部材が、前記鋼材のフランジに設置される設置金具と、前記デッキプレートと前記設置金具とを繋ぐ繋止金具とから形成され、前記設置金具が、前記鋼材のフランジに嵌め込む嵌合部と、前記嵌合部に繋がる係止部とを有し、前記繋止金具が、前記設置金具の係止部に係止される一端部と、前記デッキプレートの端縁部に係止される他端部とを有し、
前記デッキプレート連結部材では、前記嵌合部を介して設置金具が前記フランジに取り付けられ、前記繋止金具の他端部が前記デッキプレートの端縁部に係止・固定されるとともに、前記繋止金具の一端部が前記設置金具の係止部に係止・固定されることで、前記デッキプレートが前記鋼材のフランジに連結されることを特徴とするデッキプレート連結部材。
【請求項２】
前記設置金具の嵌合部が、前後方向へ延びる所定面積の第１板と、前記第１板の前端縁につながって上下方向へ延びる所定面積の第２板と、前記第２板の上端縁につながって前後方向へ延びていて前記デッキプレートの端縁部が載置される所定面積の第３板とから形成され、前記設置金具の係止部が、前記第３板の後端縁につながって上下方向へ延びる所定面積の第４板から形成され、前記第４板には、前記繋止金具の一端部を係止・固定する係止域が作られている請求項１に記載のデッキプレート連結部材。
【請求項３】
前記係止域が、前記第４板に形成されて該第４板の上端縁から下端縁に向かって上下方向へ延びるスリットと、前記スリットを挟んで幅方向へ分割された前記第４板の第１板部分と第２板部分とから形成され、前記繋止金具の一端部が、軸方向へ並ぶ複数の引っ掛け部分を有し、前記デッキプレート連結部材では、前記繋止金具の一端部が前記スリットに挿入され、前記繋止金具の一端部に形成された引っ掛け部分が前記第４板の第１板部分と第２板部分との互いに対向する端縁に引っ掛かることで前記繋止金具の一端部が前記係止域に係止・固定される請求項２に記載のデッキプレート連結部材。
【請求項４】
前記第４板の第１板部分が、該第４板の一方の側縁と前記スリットとの間において上下方向へ延びる第１折曲線を介して前後方向後方へ向かって折り曲げられて前後方向前方から後方へ向かって傾斜し、前記第４板の第２板部分が、該第４板の他方の側縁と前記スリットとの間において上下方向へ延びる第２折曲線を介して前後方向後方へ向かって折り曲げられて前後方向前方から後方へ向かって傾斜し、前記スリットの幅方向の開口寸法が、前記繋止金具の一端部の径よりも小さく、前記デッキプレート連結部材では、前記繋止金具の一端部を前記スリットに挿入すると、前記第４板の第１板部分と第２板部分とが前後方向へ弾性変形しつつ、前記繋止金具の一端部に形成された引っ掛け部分が前記第１板部分と第２板部分との互いに対向する端縁に順次引っ掛かり、前記繋止金具の一端部が前記係止域に係止・固定される請求項３に記載のデッキプレート連結部材。
【請求項５】
前記第３板が、その前端縁から後端縁に向かって前記第１板に次第に近づくように下り勾配に傾斜し、前記第１板の後端縁と前記第３板の後端縁との間の離間寸法が、前記フランジの厚み寸法よりも小さい請求項２ないし請求項４いずれかに記載のデッキプレート連結部材。
【請求項６】
前記第１板が、その前端縁から後端縁に向かって前記第３板に次第に近づくように上り勾配に傾斜し、前記第１板の後端縁と前記第３板の後端縁との間の離間寸法が、前記フランジの厚み寸法よりも小さい請求項２ないし請求項５いずれかに記載のデッキプレート連結部材。
【請求項７】
前記第１板の前端縁から後端縁までの長さ寸法が、前記第３板の前端縁から後端縁までの長さ寸法よりも長く、前記第１板の後端縁近傍が、前記第３板の後端縁の前後方向後方に位置している請求項２ないし請求項６いずれかに記載のデッキプレート連結部材。
【請求項８】
建造物の梁を形成する鋼材に所定面積のデッキプレートを連結するデッキプレート連結方法において、
前記デッキプレート連結方法が、前記鋼材のフランジに嵌め込む嵌合部と前記嵌合部に繋がる係止部とを有して該鋼材のフランジに設置される設置金具と、前記設置金具の係止部に係止される一端部と前記デッキプレートの端縁部に係止される他端部とを有して該デッキプレートと該設置金具とを繋ぐ繋止金具とを利用し、前記設置金具の嵌合部を前記鋼材のフランジに嵌め込んで該設置金具を前記フランジに取り付ける嵌合工程と、前記繋止金具の他端部を前記デッキプレートの端縁部に係止・固定するとともに、前記繋止金具の一端部を前記設置金具の係止部に係止・固定して前記デッキプレートを前記鋼材のフランジに連結する連結工程とを有することを特徴とするデッキプレート連結方法。
【請求項９】
前記設置金具の嵌合部が、前後方向へ延びる所定面積の第１板と、前記第１板の前端縁につながって上下方向へ延びる所定面積の第２板と、前記第２板の上端縁につながって前後方向へ延びていて前記デッキプレートの端縁部が載置される所定面積の第３板とから形成され、前記設置金具の係止部が、前記第３板の後端縁につながって上下方向へ延びる所定面積の第４板から形成され、前記第４板には、前記繋止金具の一端部を係止・固定する係止域が作られ、前記嵌合工程では、前記第１板と前記第３板との間に前記フランジを挿入し、前記第１板が前記フランジの下面に当接し、前記第２板が前記フランジの端面に当接するとともに、前記第３板が前記フランジの上面に当接するように前記嵌合部を該フランジに嵌め込み、前記連結工程では、前記デッキプレートの端縁部を前記第３板の上面に載置し、前記繋止金具の他端部を前記デッキプレートの端縁部に係止・固定しつつ、前記繋止金具の一端部を前記第４板の係止域に係止・固定する請求項８に記載のデッキプレート連結方法。
【請求項１０】
前記係止域が、前記第４板に形成されて該第４板の上端縁から下端縁に向かって上下方向へ延びるスリットと、前記スリットを挟んで幅方向へ分割された前記第４板の第１板部分と第２板部分とから形成され、前記繋止金具の一端部が、軸方向へ並ぶ複数の引っ掛け部分を有し、前記連結工程では、前記繋止金具の一端部を前記スリットに挿入し、前記繋止金具の一端部に形成された引っ掛け部分を前記第４板の第１板部分と第２板部分との互いに対向する端縁に引っ掛けることで前記繋止金具の一端部を前記係止域に係止・固定する請求項９に記載のデッキプレート連結方法。
【請求項１１】
前記第４板の第１板部分が、該第４板の一方の側縁と前記スリットとの間において上下方向へ延びる第１折曲線を介して前後方向後方へ向かって折り曲げられて前後方向前方から後方へ向かって傾斜し、前記第４板の第２板部分が、該第４板の他方の側縁と前記スリットとの間において上下方向へ延びる第２折曲線を介して前後方向後方へ向かって折り曲げられて前後方向前方から後方へ向かって傾斜し、前記スリットの幅方向の開口寸法が、前記繋止金具の一端部の径よりも小さく、前記連結工程では、前記繋止金具の一端部を前記スリットに挿入することで、前記第４板の第１板部分と第２板部分とが前後方向へ弾性変形しつつ、前記繋止金具の一端部に形成された引っ掛け部分が前記第１板部分と第２板部分との互いに対向する端縁に順次引っ掛かり、前記繋止金具の一端部が前記係止域に係止・固定される請求項１０に記載のデッキプレート連結方法。
【請求項１２】
前記第３板が、その前端縁から後端縁に向かって前記第１板に次第に近づくように下り勾配に傾斜し、前記第１板の後端縁と前記第３板の後端縁との間の離間寸法が、前記フランジの厚み寸法よりも小さく、前記嵌合工程では、前記第１板と前記第３板とを上下方向へ離間させるようにそれら板を上下方向へ拡げた状態で前記嵌合部を前記フランジに嵌め込み、前記第１板と前記第３板との弾性変形を利用してそれら板を前記フランジに密着させて前記設置金具の嵌合部を前記フランジに取り付ける請求項９ないし請求項１１いずれかに記載のデッキプレート連結方法。
【請求項１３】
前記第１板が、その前端縁から後端縁に向かって前記第３板に次第に近づくように上り勾配に傾斜し、前記第１板の後端縁と前記第３板の後端縁との間の離間寸法が、前記フランジの厚み寸法よりも小さく、前記嵌合工程では、前記第１板と前記第３板とを上下方向へ離間させるようにそれら板を上下方向へ拡げた状態で前記嵌合部を前記フランジに嵌め込み、前記第１板と前記第３板との弾性変形を利用してそれら板を前記フランジに密着させて前記設置金具の嵌合部を前記フランジに取り付ける請求項９ないし請求項１２いずれかに記載のデッキプレート連結方法。
【請求項１４】
前記第１板の前端縁から後端縁までの長さ寸法が、前記第３板の前端縁から後端縁までの長さ寸法よりも長く、前記第１板の後端縁近傍が、前記第３板の後端縁の前後方向後方に位置し、前記嵌合工程では、前記第１板の後端縁近傍を前記フランジの下面に引っ掛けた状態で該第１板と前記第３板とが上下方向へ離間するようにそれら板を上下方向へ拡げつつ前記嵌合部を該フランジに嵌め込む請求項２ないし請求項１３いずれかに記載のデッキプレート連結方法。
【発明の詳細な説明】
【技術分野】
【０００１】
本発明は、所定面積のデッキプレートを建造物の梁を形成する鋼材に連結するデッキプレート連結部材及び所定面積のデッキプレートを建造物の梁を形成する鋼材に連結するデッキプレート連結方法に関する。
【背景技術】
【０００２】
前後方向へ延びる両側縁部及び幅方向へ延びる両端縁部を有する所定面積の鉄板と、鉄板の上面に設置されて前後方向へ延びる複数の鉄筋トラスと、鉄板の上面に位置して幅方向へ延びていて前後方向へ所定寸法離間して並ぶ複数の横筋とを備えたデッキプレートが開示されている（特許文献１参照）。鉄板は、その上面から上方へ凸となって前後方向へ延びる複数の凸条を有する。鉄筋トラスは、幅方向へ並ぶ一対の凸条の間であって鉄板の上面から上方に位置して前後方向へ延びる上端筋と、一対の凸条の間であって鉄板と上端筋との間に位置して前後方向へ延びる一対の下端筋と、一対の凸条の間であって鉄板と上端筋との間で上下方向へ波状に曲折を繰り返しながら前後方向へ延びる一対のラチス筋とから形成されている。
【０００３】
それらラチス筋は、上端筋に当接して凸状に曲折する上端凸部と、金属ベースの上面に当接して凹状に曲折する下端凹部とを有し、上端凸部から下端凹部に向かって幅方向外方へ末広がりになっている。デッキプレートでは、それらラチス筋の上端凸部が上端筋にスポット溶接され、それらラチス筋の中間部が下端筋にスポット溶接され、それら横筋がそれらラチス筋の下端凹部に配置されて鉄板に作られた凸条にスポット溶接され、それらラチス筋の下端凹部が鉄板の上面とそれら横筋とに挟まれている。デッキプレートでは、複数のそれらを建造物のＨ形鋼（横梁）の間に架け渡した後、鉄板ベースの上面に所定の被り寸法でコンクリートを打設する。
【先行技術文献】
【特許文献】
【０００４】
【特許文献１】特開２０１３−１６３９１４号公報
【発明の概要】
【発明が解決しようとする課題】
【０００５】
前記特許文献１に開示のデッキプレートを建造物の互いに対向するＨ形鋼（横梁）の間に設置するには、それらデッキプレートの鉄板ベースの両端部をそれらＨ形鋼のフランジの上に載置し、鉄板ベースの両端部をそれらＨ形鋼のフランジに溶接することで、デッキプレートをＨ形鋼のフランジに連結する。溶接によってＨ形鋼（横梁）とそれらデッキプレートとを連結するから、溶接作業にともなう手間と時間とを要するとともに、溶接技術を備えた溶接工による溶接作業が必要となり、溶接工以外の作業者がＨ形鋼（横梁）とデッキプレートとの連結作業を行うことができず、Ｈ形鋼（横梁）とそれらデッキプレートとを迅速かつ効率的に連結することができない。なお、火気を嫌う場所では溶接による火花の発生は好ましくなく、溶接以外の工程（手段）によってＨ形鋼（横梁）とデッキプレートとを連結する必要がある。
【０００６】
本発明の目的は、溶接作業を必要とせず、鋼材のフランジとデッキプレートとを迅速かつ効率的に連結することができるデッキプレート連結部材及びデッキプレート連結方法を提供することにある。本発明の他の目的は、火気を嫌う場所において火花を発生させることなく、鋼材のフランジとデッキプレートとを連結することができるデッキプレート連結部材及びデッキプレート連結方法を提供することにある。
【課題を解決するための手段】
【０００７】
前記課題を解決するための本発明の第１の前提は、建造物の梁を形成する鋼材に所定面積のデッキプレートを連結するデッキプレート連結部材である。
【０００８】
前記第１の前提における本発明のデッキプレート連結部材の特徴は、デッキプレート連結部材が、鋼材のフランジに設置される設置金具と、デッキプレートと設置金具とを繋ぐ繋止金具とから形成され、設置金具が、鋼材のフランジに嵌め込む嵌合部と、嵌合部に繋がる係止部とを有し、繋止金具が、設置金具の係止部に係止される一端部と、デッキプレートの端縁部に係止される他端部とを有し、デッキプレート連結部材では、嵌合部を介して設置金具がフランジに取り付けられ、繋止金具の他端部がデッキプレートの端縁部に係止・固定されるとともに、繋止金具の一端部が設置金具の係止部に係止・固定されることで、デッキプレートが鋼材のフランジに連結されることにある。
【０００９】
前記本発明のデッキプレート連結部材の一例としては、設置金具の嵌合部が、前後方向へ延びる所定面積の第１板と、第１板の前端縁につながって上下方向へ延びる所定面積の第２板と、第２板の上端縁につながって前後方向へ延びていてデッキプレートの端縁部が載置される所定面積の第３板とから形成され、設置金具の係止部が、第３板の後端縁につながって上下方向へ延びる所定面積の第４板から形成され、第４板には、繋止金具の一端部を係止・固定する係止域が作られている。
【００１０】
前記本発明のデッキプレート連結部材の他の一例としては、係止域が、第４板に形成されて第４板の上端縁から下端縁に向かって上下方向へ延びるスリットと、スリットを挟んで幅方向へ分割された第４板の第１板部分と第２板部分とから形成され、繋止金具の一端部が、軸方向へ並ぶ複数の引っ掛け部分を有し、デッキプレート連結部材では、繋止金具の一端部がスリットに挿入され、繋止金具の一端部に形成された引っ掛け部分が第４板の第１板部分と第２板部分との互いに対向する端縁に引っ掛かることで繋止金具の一端部が係止域に係止・固定される。
【００１１】
前記本発明のデッキプレート連結部材の他の一例としては、第４板の第１板部分が、第４板の一方の側縁とスリットとの間において上下方向へ延びる第１折曲線を介して前後方向後方へ向かって折り曲げられて前後方向前方から後方へ向かって傾斜し、第４板の第２板部分が、第４板の他方の側縁とスリットとの間において上下方向へ延びる第２折曲線を介して前後方向後方へ向かって折り曲げられて前後方向前方から後方へ向かって傾斜し、スリットの幅方向の開口寸法が、繋止金具の一端部の径よりも小さく、デッキプレート連結部材では、繋止金具の一端部をスリットに挿入すると、第４板の第１板部分と第２板部分とが前後方向へ弾性変形しつつ、繋止金具の一端部に形成された引っ掛け部分が第１板部分と第２板部分との互いに対向する端縁に順次引っ掛かり、繋止金具の一端部が係止域に係止・固定される。
【００１２】
前記本発明のデッキプレート連結部材の他の一例としては、第３板が、その前端縁から後端縁に向かって第１板に次第に近づくように下り勾配に傾斜し、第１板の後端縁と第３板の後端縁との間の離間寸法が、フランジの厚み寸法よりも小さい。
【００１３】
前記本発明のデッキプレート連結部材の他の一例としては、第１板が、その前端縁から後端縁に向かって第３板に次第に近づくように上り勾配に傾斜し、第１板の後端縁と第３板の後端縁との間の離間寸法が、フランジの厚み寸法よりも小さい。
【００１４】
前記本発明のデッキプレート連結部材の他の一例としては、第１板の前端縁から後端縁までの長さ寸法が、第３板の前端縁から後端縁までの長さ寸法よりも長く、第１板の後端縁近傍が、第３板の後端縁の前後方向後方に位置している。
【００１５】
前記課題を解決するための本発明の第２の前提は、建造物の梁を形成する鋼材に所定面積のデッキプレートを連結するデッキプレート連結方法である。
【００１６】
前記第２の前提における本発明のデッキプレート連結方法の特徴は、デッキプレート連結方法が、鋼材のフランジに嵌め込む嵌合部と嵌合部に繋がる係止部とを有して鋼材のフランジに設置される設置金具と、設置金具の係止部に係止される一端部とデッキプレートの端縁部に係止される他端部とを有してデッキプレートと設置金具とを繋ぐ繋止金具とを利用し、設置金具の嵌合部を鋼材のフランジに嵌め込んで設置金具をフランジに取り付ける嵌合工程と、繋止金具の他端部をデッキプレートの端縁部に係止・固定するとともに、繋止金具の一端部を設置金具の係止部に係止・固定してデッキプレートを鋼材のフランジに連結する連結工程とを有することにある。
【００１７】
前記本発明のデッキプレート連結方法の一例としては、設置金具の嵌合部が、前後方向へ延びる所定面積の第１板と、第１板の前端縁につながって上下方向へ延びる所定面積の第２板と、第２板の上端縁につながって前後方向へ延びていてデッキプレートの端縁部が載置される所定面積の第３板とから形成され、設置金具の係止部が、第３板の後端縁につながって上下方向へ延びる所定面積の第４板から形成され、第４板には、繋止金具の一端部を係止・固定する係止域が作られ、嵌合工程では、第１板と第３板との間にフランジを挿入し、第１板がフランジの下面に当接し、第２板がフランジの端面に当接するとともに、第３板がフランジの上面に当接するように嵌合部をフランジに嵌め込み、連結工程では、デッキプレートの端縁部を第３板の上面に載置し、繋止金具の他端部をデッキプレートの端縁部に係止・固定しつつ、繋止金具の一端部を第４板の係止域に係止・固定する。
【００１８】
前記本発明のデッキプレート連結方法の他の一例としては、係止域が、第４板に形成されて第４板の上端縁から下端縁に向かって上下方向へ延びるスリットと、スリットを挟んで幅方向へ分割された第４板の第１板部分と第２板部分とから形成され、繋止金具の一端部が、軸方向へ並ぶ複数の引っ掛け部分を有し、連結工程では、繋止金具の一端部をスリットに挿入し、繋止金具の一端部に形成された引っ掛け部分を第４板の第１板部分と第２板部分との互いに対向する端縁に引っ掛けることで繋止金具の一端部を係止域に係止・固定する。
【００１９】
前記本発明のデッキプレート連結方法の他の一例としては、第４板の第１板部分が、第４板の一方の側縁とスリットとの間において上下方向へ延びる第１折曲線を介して前後方向後方へ向かって折り曲げられて前後方向前方から後方へ向かって傾斜し、第４板の第２板部分が、第４板の他方の側縁とスリットとの間において上下方向へ延びる第２折曲線を介して前後方向後方へ向かって折り曲げられて前後方向前方から後方へ向かって傾斜し、スリットの幅方向の開口寸法が、繋止金具の一端部の径よりも小さく、連結工程では、繋止金具の一端部をスリットに挿入することで、第４板の第１板部分と第２板部分とが前後方向へ弾性変形しつつ、繋止金具の一端部に形成された引っ掛け部分が第１板部分と第２板部分との互いに対向する端縁に順次引っ掛かり、繋止金具の一端部が係止域に係止・固定される。
【００２０】
前記本発明のデッキプレート連結方法の他の一例としては、第３板が、その前端縁から後端縁に向かって第１板に次第に近づくように下り勾配に傾斜し、第１板の後端縁と第３板の後端縁との間の離間寸法が、フランジの厚み寸法よりも小さく、嵌合工程では、第１板と第３板とを上下方向へ離間させるようにそれら板を上下方向へ拡げた状態で嵌合部をフランジに嵌め込み、第１板と第３板との弾性変形を利用してそれら板をフランジに密着させて設置金具の嵌合部をフランジに取り付ける。
【００２１】
前記本発明のデッキプレート連結方法の他の一例としては、第１板が、その前端縁から後端縁に向かって第３板に次第に近づくように上り勾配に傾斜し、第１板の後端縁と第３板の後端縁との間の離間寸法が、フランジの厚み寸法よりも小さく、嵌合工程では、第１板と第３板とを上下方向へ離間させるようにそれら板を上下方向へ拡げた状態で嵌合部をフランジに嵌め込み、第１板と第３板との弾性変形を利用してそれら板をフランジに密着させて設置金具の嵌合部をフランジに取り付ける。
【００２２】
前記本発明のデッキプレート連結方法の他の一例としては、第１板の前端縁から後端縁までの長さ寸法が、第３板の前端縁から後端縁までの長さ寸法よりも長く、第１板の後端縁近傍が、第３板の後端縁の前後方向後方に位置し、嵌合工程では、第１板の後端縁近傍をフランジの下面に引っ掛けた状態で第１板と第３板とが上下方向へ離間するようにそれら板を上下方向へ拡げつつ嵌合部をフランジに嵌め込む。
【発明の効果】
【００２３】
本発明に係るデッキプレート連結部材によれば、鋼材（建造物の梁）のフランジに嵌め込む嵌合部と嵌合部に繋がる係止部とを有する設置金具と、設置金具の係止部に係止される一端部とデッキプレートの端縁部に係止される他端部とを有する繋止金具とから形成され、嵌合部を介して設置金具がフランジに取り付けられ、繋止金具の他端部がデッキプレートの端縁部に係止・固定されるとともに、繋止金具の一端部が設置金具の係止部に係止・固定されることで、デッキプレートが鋼材のフランジに連結されるから、溶接技術を備えた溶接工による溶接作業が不要となり、溶接工以外の作業者が鋼材とデッキプレートとの連結作業を行うことができ、溶接作業にともなう手間と時間とを省くことができ、鋼材（梁）のフランジとデッキプレートとを迅速かつ効率的に連結することができる。デッキプレート連結部材は、それを利用することで鋼材（梁）のフランジとデッキプレートとの連結に溶接作業が不要になるから、火気を嫌う場所において火花を発生させることなく鋼材のフランジとデッキプレートとを安全に連結することができる。
【００２４】
設置金具の嵌合部が前後方向へ延びる所定面積の第１板と第１板の前端縁につながって上下方向へ延びる所定面積の第２板と第２板の上端縁につながって前後方向へ延びていてデッキプレートの端縁部が載置される所定面積の第３板とから形成され、設置金具の係止部が第３板の後端縁につながって上下方向へ延びる所定面積の第４板から形成され、繋止金具の一端部を係止・固定する係止域が第４板に作られているデッキプレート連結部材は、嵌合部を形成する第１板が鋼材のフランジの下面に当接（密着）し、第２板がフランジの端面に当接（密着）するとともに、第３板がフランジの上面に当接（密着）するから、第１〜第３板から形成された嵌合部を介して設置金具を鋼材のフランジに確実に取り付けることができ、繋止金具の他端部がデッキプレートの端縁部に係止・固定されるとともに、第４板に作られた係止域に繋止金具の一端部が係止・固定されるから、設置金具と繋止金具とを利用することで鋼材（梁）のフランジとデッキプレートとを確実に連結することができる。デッキプレート連結部材は、第１〜第３板から形成された嵌合部を鋼材のフランジに嵌め込み、繋止金具の他端部をデッキプレートの端縁部に係止・固定し、第４板に形成された係止域に繋止金具の一端部を係止・固定することで、鋼材のフランジとデッキプレートとを連結することができるから、溶接作業が不要となり、溶接作業にともなう手間や時間を省くことができ、鋼材（梁）のフランジとデッキプレートとを迅速かつ効率的に連結することができるとともに、鋼材のフランジとデッキプレートとの連結作業において火花が発生することはなく、火気を嫌う場所において鋼材のフランジとデッキプレートとを安全に連結することができる。
【００２５】
係止域が第４板に形成されて第４板の上端縁から下端縁に向かって上下方向へ延びるスリットとスリットを挟んで幅方向へ分割された第４板の第１板部分と第２板部分とから形成され、繋止金具の一端部が軸方向へ並ぶ複数の引っ掛け部分を有し、繋止金具の一端部がスリットに挿入され、繋止金具の一端部に形成された引っ掛け部分が第４板の第１板部分と第２板部分との互いに対向する端縁に引っ掛かることで繋止金具の一端部が係止域に係止・固定されるデッキプレート連結部材は、繋止金具の一端部に形成された引っ掛け部分を第４板の第１板部分と第２板部分との互いに対向する端縁に引っ掛かることで繋止金具の一端部が係止域に係止・固定されるから、第４板に作られた係止域に繋止金具の一端部を確実に係止・固定することができ、設置金具と繋止金具とを利用することで鋼材（梁）のフランジとデッキプレートとを確実に連結することができる。デッキプレート連結部材は、第１〜第３板から形成された嵌合部を鋼材のフランジに嵌め込み、繋止金具の他端部をデッキプレートの端縁部に係止・固定し、繋止金具の一端部に形成された引っ掛け部分を第４板の第１板部分と第２板部分との互いに対向する端縁に引っ掛けることで、鋼材のフランジとデッキプレートとを連結することができるから、溶接作業が不要となり、溶接作業にともなう手間や時間を省くことができ、鋼材（梁）のフランジとデッキプレートとを迅速かつ効率的に連結することができるとともに、鋼材のフランジとデッキプレートとの連結作業において火花が発生することはなく、火気を嫌う場所において鋼材のフランジとデッキプレートとを安全に連結することができる。デッキプレート連結部材は、スリットが第４板の上端縁から下端縁に向かって上下方向へ延びているから、デッキプレートの端縁部に対する繋止金具の他端部の係止・固定位置を上下方向へ移動させ、繋止金具の他端部の係止・固定位置を調整しつつ繋止金具の一端部をスリットに挿入することができ、デッキプレートの端縁部に対する繋止金具の他端部の係止・固定位置にかかわらず、設置金具と繋止金具とを利用して鋼材（梁）のフランジとデッキプレートとを連結することができる。
【００２６】
第４板の第１板部分が第４板の一方の側縁とスリットとの間において上下方向へ延びる第１折曲線を介して前後方向後方へ向かって折り曲げられて前後方向前方から後方へ向かって傾斜し、第４板の第２板部分が第４板の他方の側縁とスリットとの間において上下方向へ延びる第２折曲線を介して前後方向後方へ向かって折り曲げられて前後方向前方から後方へ向かって傾斜し、スリットの幅方向の開口寸法が繋止金具の一端部の径よりも小さく、繋止金具の一端部をスリットに挿入すると、第４板の第１板部分と第２板部分とが前後方向へ弾性変形しつつ、繋止金具の一端部に形成された引っ掛け部分が第１板部分と第２板部分との互いに対向する端縁に順次引っ掛かり、繋止金具の一端部が係止域に係止・固定されるデッキプレート連結部材は、第４板の第１板部分と第２板部分とが前後方向へ弾性変形しつつ、繋止金具の一端部に形成された引っ掛け部分が第１板部分と第２板部分との互いに対向する端縁に引っ掛かり、繋止金具の一端部が係止域に係止・固定されるから、第４板の第１板部分と第２板部分との間に繋止金具の一端部を確実に係止・固定することができ、設置金具と繋止金具とを利用することで鋼材（梁）のフランジとデッキプレートとを確実に連結することができる。デッキプレート連結部材は、第１〜第３板から形成された嵌合部を鋼材のフランジに嵌め込み、繋止金具の他端部をデッキプレートの端縁部に係止・固定し、繋止金具の一端部に形成された引っ掛け部分を前後方向前方から後方へ向かって傾斜する第１板部分と第２板部分との互いに対向する端縁に引っ掛けることで、鋼材のフランジとデッキプレートとを連結することができるから、溶接作業が不要となり、溶接作業にともなう手間や時間を省くことができ、鋼材（梁）のフランジとデッキプレートとを迅速かつ効率的に連結することができるとともに、鋼材のフランジとデッキプレートとの連結作業において火花が発生することはなく、火気を嫌う場所において鋼材のフランジとデッキプレートとを安全に連結することができる。
【００２７】
第３板がその前端縁から後端縁に向かって第１板に次第に近づくように下り勾配に傾斜し、第１板の後端縁と第３板の後端縁との間の離間寸法がフランジの厚み寸法よりも小さいデッキプレート連結部材は、第１及び第３板の弾性力に抗して第１及び第３板を上下方向へ拡げ、その状態で第１〜第３板から形成された嵌合部をフランジに嵌め込むことで、第１及び第３板の弾性変形を利用してそれら板をフランジに密着させることができ、鋼材のフランジに対して設置金具が不用意に遊動することはなく、嵌合部を介して設置金具を鋼材のフランジに確実に取り付けることができる。
【００２８】
第１板がその前端縁から後端縁に向かって第３板に次第に近づくように上り勾配に傾斜し、第１板の後端縁と第３板の後端縁との間の離間寸法がフランジの厚み寸法よりも小さいデッキプレート連結部材は、第１及び第３板の弾性力に抗して第１及び第３板を上下方向へ拡げ、その状態で第１〜第３板から形成された嵌合部をフランジに嵌め込むことで、第１及び第３板の弾性変形を利用してそれら板をフランジに密着させることができ、鋼材のフランジに対して設置金具が不用意に遊動することはなく、嵌合部を介して設置金具を鋼材のフランジに確実に取り付けることができる。
【００２９】
第１板の前端縁から後端縁までの長さ寸法が第３板の前端縁から後端縁までの長さ寸法よりも長く、第１板の後端縁近傍が第３板の後端縁の前後方向後方に位置しているデッキプレート連結部材は、第１板の後端縁近傍を鋼材のフランジの下面に引っ掛けた状態で第１及び第３板の弾性力に抗して第１板と第３板とが上下方向へ離間するようにそれら板を上下方向へ拡げ、その状態で第１〜第３板から形成された嵌合部をフランジに嵌め込むことができるから、嵌合部をフランジに容易に嵌め込むことができ、嵌合部を介して設置金具を鋼材のフランジに迅速に取り付けることができる。
【００３０】
本発明に係るデッキプレート連結方法によれば、鋼材のフランジに嵌め込む嵌合部と嵌合部に繋がる係止部とを有して鋼材のフランジに設置される設置金具と、設置金具の係止部に係止される一端部とデッキプレートの端縁部に係止される他端部とを有してデッキプレートと設置金具とを繋ぐ繋止金具とを利用し、設置金具の嵌合部を鋼材のフランジに嵌め込んで設置金具をフランジに取り付け、繋止金具の他端部をデッキプレートの端縁部に係止・固定するとともに、繋止金具の一端部を設置金具の係止部に係止・固定してデッキプレートを鋼材のフランジに連結するから、溶接技術を備えた溶接工による溶接作業が不要となり、溶接工以外の作業者が鋼材とデッキプレートとの連結作業を行うことができ、溶接作業にともなう手間と時間とを省くことができるとともに、設置金具と繋止金具とを利用することで鋼材（梁）のフランジとデッキプレートとを迅速かつ効率的に連結することができる。デッキプレート連結方法は、設置金具と繋止金具とを利用することで鋼材（梁）のフランジとデッキプレートとの連結に溶接作業が不要になるから、火気を嫌う場所において火花を発生させることなく鋼材のフランジとデッキプレートとを連結することができる。
【００３１】
設置金具の嵌合部が前後方向へ延びる所定面積の第１板と第１板の前端縁につながって上下方向へ延びる所定面積の第２板と第２板の上端縁につながって前後方向へ延びていてデッキプレートの端縁部が載置される所定面積の第３板とから形成され、設置金具の係止部が第３板の後端縁につながって上下方向へ延びる所定面積の第４板から形成され、繋止金具の一端部を係止・固定する係止域が第４板に作られ、第１板と第３板との間にフランジを挿入し、第１板がフランジの下面に当接し、第２板がフランジの端面に当接するとともに、第３板が前記フランジの上面に当接するように嵌合部をフランジに嵌め込み、デッキプレートの端縁部を第３板の上面に載置し、繋止金具の他端部をデッキプレートの端縁部に係止・固定しつつ、繋止金具の一端部を第４板の係止域に係止・固定するデッキプレート連結方法は、嵌合部を形成する第１板が鋼材のフランジの下面に当接（密着）し、第２板がフランジの端面に当接（密着）するとともに、第３板がフランジの上面に当接（密着）するから、第１〜第３板から形成された嵌合部を介してデッキプレート連結金具を鋼材のフランジに確実に取り付けることができ、繋止金具の他端部がデッキプレートの端縁部に係止・固定されるとともに、第４板に作られた係止域に繋止金具の一端部が係止・固定されるから、設置金具と繋止金具とを利用することで鋼材（梁）のフランジとデッキプレートとを確実に連結することができる。デッキプレート連結方法は、第１〜第３板から形成された嵌合部を鋼材のフランジに嵌め込み、繋止金具の他端部をデッキプレートの端縁部に係止・固定し、第４板に形成された係止域に繋止金具の一端部が係止・固定することで、鋼材のフランジとデッキプレートとを連結することができるから、溶接作業が不要となり、溶接作業にともなう手間や時間を省くことができ、鋼材（梁）のフランジとデッキプレートとを迅速かつ効率的に連結することができるとともに、鋼材のフランジとデッキプレートとの連結作業において火花が発生することはなく、火気を嫌う場所において鋼材のフランジとデッキプレートとを安全に連結することができる。
【００３２】
係止域が第４板に形成されて第４板の上端縁から下端縁に向かって上下方向へ延びるスリットとスリットを挟んで幅方向へ分割された第４板の第１板部分と第２板部分とから形成され、繋止金具の一端部が軸方向へ並ぶ複数の引っ掛け部分を有し、繋止金具の一端部をスリットに挿入し、繋止金具の一端部に形成された引っ掛け部分を第４板の第１板部分と第２板部分との互いに対向する端縁に引っ掛けることで繋止金具の一端部を係止域に係止・固定するデッキプレート連結方法は、繋止金具の一端部に形成された引っ掛け部分を第４板の第１板部分と第２板部分との互いに対向する端縁に引っ掛かることで繋止金具の一端部が係止域に係止・固定されるから、第４板に作られた係止域に繋止金具の一端部を確実に係止・固定することができ、設置金具と繋止金具とを利用することで鋼材（梁）のフランジとデッキプレートとを確実に連結することができる。デッキプレート連結方法は、第１〜第３板から形成された嵌合部を鋼材のフランジに嵌め込み、繋止金具の他端部をデッキプレートの端縁部に係止・固定し、繋止金具の一端部に形成された引っ掛け部分を第４板の第１板部分と第２板部分との互いに対向する端縁に引っ掛けることで、鋼材のフランジとデッキプレートとを連結することができるから、溶接作業が不要となり、溶接作業にともなう手間や時間を省くことができ、鋼材（梁）のフランジとデッキプレートとを迅速かつ効率的に連結することができるとともに、鋼材のフランジとデッキプレートとの連結作業において火花が発生することはなく、火気を嫌う場所において鋼材のフランジとデッキプレートとを安全に連結することができる。デッキプレート連結方法は、スリットが第４板の上端縁から下端縁に向かって上下方向へ延びているから、デッキプレートの端縁部に対する繋止金具の他端部の係止・固定位置を上下方向へ移動させ、繋止金具の他端部の係止・固定位置を調整しつつ繋止金具の一端部をスリットに挿入することができ、デッキプレートの端縁部に対する繋止金具の他端部の係止・固定位置にかかわらず、設置金具と繋止金具とを利用して鋼材（梁）のフランジとデッキプレートとを連結することができる。
【００３３】
第４板の第１板部分が第４板の一方の側縁とスリットとの間において上下方向へ延びる第１折曲線を介して前後方向後方へ向かって折り曲げられて前後方向前方から後方へ向かって傾斜し、第４板の第２板部分が第４板の他方の側縁とスリットとの間において上下方向へ延びる第２折曲線を介して前後方向後方へ向かって折り曲げられて前後方向前方から後方へ向かって傾斜し、スリットの幅方向の開口寸法が繋止金具の一端部の径よりも小さく、繋止金具の一端部をスリットに挿入することで、第４板の第１板部分と第２板部分とが前後方向へ弾性変形しつつ、繋止金具の一端部に形成された引っ掛け部分が第１板部分と第２板部分との互いに対向する端縁に順次引っ掛かり、繋止金具の一端部が係止域に係止・固定されるデッキプレート連結方法は、第４板の第１板部分と第２板部分とが前後方向へ弾性変形しつつ、繋止金具の一端部に形成された引っ掛け部分が第１板部分と第２板部分との互いに対向する端縁に引っ掛かり、繋止金具の一端部が係止域に係止・固定されるから、第４板の第１板部分と第２板部分との間に繋止金具の一端部を確実に係止・固定することができ、設置金具と繋止金具とを利用することで鋼材（梁）のフランジとデッキプレートとを確実に連結することができる。デッキプレート連結方法は、第１〜第３板から形成された嵌合部を鋼材のフランジに嵌め込み、繋止金具の他端部をデッキプレートの端縁部に係止・固定し、繋止金具の一端部に形成された引っ掛け部分を前後方向前方から後方へ向かって傾斜する第１板部分と第２板部分との互いに対向する端縁に引っ掛けることで、鋼材のフランジとデッキプレートとを連結することができるから、溶接作業が不要となり、溶接作業にともなう手間や時間を省くことができ、鋼材（梁）のフランジとデッキプレートとを迅速かつ効率的に連結することができるとともに、鋼材のフランジとデッキプレートとの連結作業において火花が発生することはなく、火気を嫌う場所において鋼材のフランジとデッキプレートとを安全に連結することができる。
【００３４】
第３板がその前端縁から後端縁に向かって第１板に次第に近づくように下り勾配に傾斜し、第１板の後端縁と第３板の後端縁との間の離間寸法がフランジの厚み寸法よりも小さく、第１板と第３板とを上下方向へ離間させるようにそれら板を上下方向へ拡げた状態で嵌合部をフランジに嵌め込み、第１板と第３板との弾性変形を利用してそれら板をフランジに密着させて設置金具の嵌合部をフランジに取り付けるデッキプレート連結方法は、第１及び第３板の弾性力に抗して第１及び第３板を上下方向へ拡げ、その状態で第１〜第３板から形成された嵌合部をフランジに嵌め込むことで、第１及び第３板が弾性変形してフランジを強く挟み込むから、第１及び第３板の弾性変形（挟持力）を利用してそれら板をフランジに密着させることができ、鋼材のフランジに対して設置金具が不用意に遊動することはなく、嵌合部を介して設置金具を鋼材のフランジに確実に取り付けることができる。
【００３５】
第１板がその前端縁から後端縁に向かって第３板に次第に近づくように上り勾配に傾斜し、第１板の後端縁と第３板の後端縁との間の離間寸法がフランジの厚み寸法よりも小さく、第１板と第３板とを上下方向へ離間させるようにそれら板を上下方向へ拡げた状態で嵌合部をフランジに嵌め込み、第１板と第３板との弾性変形を利用してそれら板をフランジに密着させて設置金具の嵌合部をフランジに取り付けるデッキプレート連結方法は、第１及び第３板の弾性力に抗して第１及び第３板を上下方向へ拡げ、その状態で第１〜第３板から形成された嵌合部をフランジに嵌め込むことで、第１及び第３板が弾性変形してフランジを強く挟み込むから、第１及び第３板の弾性変形（挟持力）を利用してそれら板をフランジに密着させることができ、鋼材のフランジに対して設置金具が不用意に遊動することはなく、嵌合部を介して設置金具を鋼材のフランジに確実に取り付けることができる。
【００３６】
第１板の前端縁から後端縁までの長さ寸法が第３板の前端縁から後端縁までの長さ寸法よりも長く、第１板の後端縁近傍が第３板の後端縁の前後方向後方に位置し、第１板の後端縁近傍をフランジの下面に引っ掛けた状態で第１板と第３板とが上下方向へ離間するようにそれら板を上下方向へ拡げつつ嵌合部をフランジに嵌め込むデッキプレート連結方法は、第１及び第３板の弾性力に抗して第１板と第３板とが上下方向へ離間するようにそれら板を上下方向へ拡げ、その状態で第１〜第３板から形成された嵌合部をフランジに嵌め込むことで、第１及び第３板が弾性変形してフランジを強く挟み込むから、第１及び第３板の弾性変形（挟持力）を利用してそれら板をフランジに密着させることができ、鋼材のフランジに対して設置金具が不用意に遊動することはなく、嵌合部を介して設置金具を鋼材のフランジに確実に取り付けることができる。
【図面の簡単な説明】
【００３７】
【図１】一例として示す設置金具の斜視図。
【図２】設置金具の正面図。
【図３】設置金具の背面図。
【図４】設置金具の側面図。
【図５】設置金具の上面図。
【図６】一例として示す繋止金具の斜視図。
【図７】デッキプレート連結部材を利用してＨ形鋼のフランジに連結されるデッキプレートの一例を示す斜視図。
【図８】デッキプレート連結部材を利用してデッキプレートをＨ形鋼のフランジに連結する連結手順の一例を説明する図。
【図９】図８から続く連結手順を説明する図。
【図１０】設置金具をＨ形鋼のフランジに取り付けた後の側面図。
【図１１】設置金具の第３板の上面にデッキプレートの端縁部を載置した後の側面図。
【図１２】図１１から続く連結手順を説明する図。
【図１３】デッキプレート連結部材を利用してデッキプレートをＨ形鋼のフランジに連結した後の部分拡大側面図。
【図１４】他の一例として示す繋止金具の斜視図。
【図１５】図１０から続く連結手順の他の一例を説明する図。
【図１６】デッキプレート連結部材を利用してデッキプレートをＨ形鋼のフランジに連結した後の上面図。
【発明を実施するための形態】
【００３８】
一例として示す設置金具１１の斜視図である図１等の添付の図面を参照し、本発明に係るデッキプレート連結部材及びデッキプレート連結方法の詳細を説明すると、以下のとおりである。なお、図２は、設置金具１１の正面図であり、図３は、設置金具１１の背面図である。図４は、設置金具１１の側面図であり、図５は、設置金具１１の上面図である。図６は、一例として示す繋止金具１２の斜視図である。図１，６では、前後方向を矢印Ａ、幅方向を矢印Ｂ（図１のみ）で示し、上下方向を矢印Ｃ（図１のみ）で示す。
【００３９】
デッキプレート連結部材１０Ａ（後記するデッキプレート連結部材１０Ｂを含む）は、所定面積のデッキプレート５０（図７参照）を建造物の梁を形成する鋼材５１（Ｈ形鋼５１ａ）（図８参照）に連結する場合に使用されるとともに、デッキプレート５０を建造物の梁を形成する鋼材５１に連結するデッキプレート連結方法において利用される。梁には、Ｈ形鋼、ラチス梁、トラス梁、帯板梁、プレート梁があり、それら梁を形成する鋼材５１には、Ｈ形鋼５１ａや山形鋼がある。
【００４０】
デッキプレート連結部材１０Ａは、鋼材５１のフランジ５２に設置される設置金具１１と、デッキプレート５０と設置金具１１とを繋ぐ繋止金具１２とから形成されている。設置金具１１は、可撓性を有する弾性変形可能な鉄板を折り曲げることから作られている。なお、設置金具１１がステンレス板、アルミ板、銅板、真鍮板等の金属板から作られていてもよい。
【００４１】
設置金具１１は、梁を形成する鋼材５１のフランジ５２に嵌め込む嵌合部１３と、嵌合部１３に繋がる係止部１４とを有する。設置金具１１の嵌合部１３は、前後方向へ延びる所定面積の第１板１５と、上下方向へ延びる所定面積の第２板１６と、前後方向へ延びる所定面積の第３板１７とから形成されている。設置金具１１の係止部１４は、上下方向へ延びる所定面積の第４板１８から形成されている。
【００４２】
嵌合部１３を形成する第１板１５は、前後方向へ長く、その平面形状が方形（長方形）である。第１板１５は、上面１９及び下面２０と、前後方向前方に位置して幅方向へ延びる前端縁２１と、前後方向後方に位置して幅方向へ延びる後端縁２２と、前後端縁２１，２２の間に位置して前後方向へ延びる両側縁２３とを有する。第１板１５は、その前端縁２１から後端縁２２に向かって第３板１７に次第に近づくように上り勾配に傾斜している。なお、第１板１５が傾斜することなく第３板１７と略平行して水平に延びていてもよい。
【００４３】
第１板１５は、嵌合部１３を鋼材５１のフランジ５２に嵌め込んだときに、その上面１９がフランジ５２の下面７３に当接（密着）する。第１板１５の前端縁２１から後端縁２２までの前後方向の長さ寸法Ｌ１（図４参照）や両側縁２３の間の幅方向の幅寸法Ｌ２（図２参照）に特に制限はなく、鋼材５１のフランジ５２の長さ（大きさ）やデッキプレート５０の大きさ等にあわせて長さ寸法Ｌ１や幅寸法Ｌ２を自由に設定することができる。第１板１５の平面形状に特に制限はなく、方形の他に、所定面積を有する他のあらゆる形状を採用することができる。
【００４４】
嵌合部１３を形成する第２板１６は、その平面形状が方形（長方形）であり、第１板１５の前端縁２に一体につながり、第１板１５に対して略直交している。第２板１６は、前面２４及び後面２５と、上下方向下方に位置して幅方向へ延びる下端縁２６（第１板１５の前端縁２１）と、上下方向上方に位置して幅方向へ延びる上端縁２７と、上下端縁２６，２７の間に位置して上下方向へ延びる両側縁２８とを有する。第２板１６は、嵌合部１３を鋼材５１のフランジ５２に嵌め込んだときに、その後面２５がフランジ５２の端面７４に当接する。第２板１６の下端縁２６から上端縁２７までの上下方向の長さ寸法Ｌ３（図２参照）は、鋼材５１のフランジ５２の厚み寸法と略同一又はフランジ５２の厚み寸法よりもわずかに大きい。
【００４５】
第２板１６の上下方向の長さ寸法Ｌ３に特に制限はなく、鋼材５１のフランジ５２の厚み寸法にあわせて長さ寸法Ｌ３を自由に設定することができ、第２板１６の両側縁の間の幅方向の幅寸法Ｌ４（図２参照）に特に制限はなく、鋼材５１のフランジ５２の長さ（大きさ）やデッキプレート５０の大きさ等にあわせて幅寸法Ｌ４を自由に設定することができる。第２板１６の平面形状に特に制限はなく、方形の他に、所定面積を有する他のあらゆる形状を採用することができる。
【００４６】
嵌合部１３を形成する第３板１７は、前後方向へ長く、その平面形状が方形（長方形）であり、第２板１６の上端縁２７に一体につながり、第２板１６に対して略直交している。第３板１７は、上面２９及び下面３０と、前後方向前方に位置して幅方向へ延びる前端縁３１（第２板１６の上端縁２７）と、前後方向後方に位置して幅方向へ延びる後端縁３２と、前後端縁３１，３２の間に位置して前後方向へ延びる両側縁３３とを有する。第３板１７の上面２９には、デッキプレート５０の端縁部５６が載置される。
【００４７】
第３板１７は、その前端縁３１から後端縁３２に向かって第１板１５に次第に近づくように下り勾配に傾斜している。第１板１５の後端縁２２と第３板１７の後端縁３２との間の離間寸法Ｌ５（図４参照）は、第１板１５及び第３板１７が下り勾配に傾斜することで、フランジ５２の厚み寸法よりも小さい。なお、第３板１７が傾斜することなく第１板１５と略平行して水平に延びていてもよい。
【００４８】
第３板１７の前端縁３１から後端縁３２までの前後方向の長さ寸法Ｌ６（図４参照）や両側縁３３の間の幅方向の幅寸法Ｌ７（図２参照）に特に制限はなく、鋼材５１のフランジ５２の長さ（大きさ）やデッキプレート５０の大きさ等にあわせて長さ寸法Ｌ６や幅寸法Ｌ７を自由に設定することができる。第３板１７の平面形状に特に制限はなく、方形の他に、所定面積を有する他のあらゆる形状を採用することができる。
【００４９】
設置金具１１では、第１板１５の前端縁２１から後端縁２２までの長さ寸法Ｌ１が第３板１７の前端縁３１から後端縁３２までの長さ寸法Ｌ６よりも長く（大きく）、第１板１５の後端縁２２を含むその近傍（後端部）が第３板１７の後端縁３２の前後方向後方に位置している。なお、第１板１５の前端縁２１から後端縁２２までの長さ寸法Ｌ１と第３板１７の前端縁３１から後端縁３２までの長さ寸法Ｌ６とが略同一であってもよい。
【００５０】
第１板１５及び第３板１７の弾性力に抗し、第１板１５に上下方向下方への力を作用させるとともに、第３板１７に上下方向上方への力（第１及び第３板１５，１７を離間させる方向への力）を作用させることで、第１及び第３板１５，１７を上下方向へ拡げる（上下方向へ離間させる）ことができる。第１及び第３板１５，１７に加えた上下方向へ拡げる力を解除すると、第１及び第３板１５，１７が弾性変形して元の形状に戻る。第３板１７は、嵌合部１３を鋼材５１のフランジ５２に嵌め込んだときに、その下面２９がフランジ５２の上面７２に当接（密着）する。第３板１７は、それにデッキプレート５０の端縁部５６を載置したときに、その上面３０がデッキプレート５０の端縁部５６の下面５８（金属ベース５３の下面５８）に当接（密着）する。
【００５１】
係止部１４を形成する第４板１８は、上下方向へ長く、その平面形状が方形（長方形）である。第４板１８は、第３板１７の後端縁３２に一体につながり、第３板１７に対して略直交している。第４板１８は、前面３４及び後面３５と、上下方向下方（前後方向後方）に位置して幅方向へ延びる下端縁３６（第３板１７の後端縁３２）と、上下方向上方（前後方向前方）に位置して幅方向へ延びる上端縁３７と、上下端縁３６，３７の間に位置して上下方向（前後方向）へ延びる両側縁３８とを有する。
【００５２】
第４板１８の下端縁３６から上端縁３７までの上下方向（前後方向）の長さ寸法Ｌ８（図３参照）や両側縁３８の間の幅方向の幅寸法Ｌ９（図２参照）に特に制限はなく、鋼材５１のフランジ５２の長さ（大きさ）やデッキプレート５０の大きさ等にあわせて長さ寸法Ｌ８や幅寸法Ｌ９を自由に設定することができる。第４板１８の平面形状に特に制限はなく、方形の他に、所定面積を有する他のあらゆる形状を採用することができる。第４板１８には、繋止金具１２の一端部４６を係止・固定する係止域３９が作られている。
【００５３】
係止域３９は、第４板１８に形成されて第４板１７の上端縁３７から下端縁３６に向かって上下方向へ延びるスリット４０と、スリット４０を挟んで幅方向へ分割された第４板１８の第１板部分４１と第２板部分４２とから形成されている。スリット４０は、第４板１８を上下方向へ切断することから作られ、上下方向へ所定の長さ寸法Ｌ１０（図３参照）を有する。スリット４０は、第４板１８の下端縁３６に達することなく、下端縁３６の上下方向上方で終わっている。なお、スリット４０が第４板１８の下端縁３６又は下端縁３６の近傍まで延びていてもよい。
【００５４】
第４板１８の第１板部分４１は、上下方向に長い略四角形に成形されている。第１板部分４１は、第４板１８の上端縁３７及びスリット４０と、第４板１８の一方の側縁３８とスリット４０との間において上下方向へ延びる第１折曲線４３と、第４板１８の下方に位置して第４板１８を幅方向へ延びる切断線４４とに囲繞されている。第１板部分４１は、第１折曲線４３を介して前後方向後方へ向かって折り曲げられ、前後方向前方から後方へ向かって所定の角度で傾斜している。
【００５５】
第４板１８の第２板部分４２は、上下方向に長い略四角形に成形されている。第２板部分４２は、第４板１８の上端縁３７及びスリット４０と、第４板１８の他方の側縁３８とスリット４０との間において上下方向へ延びる第２折曲線４５と、第４板１８の下方に位置して第４板１８を幅方向へ延びる切断線４４とに囲繞されている。第２板部分４２は、第２折曲線４５を介して前後方向後方へ向かって折り曲げられ、前後方向前方から後方へ向かって所定の角度で傾斜している。
【００５６】
繋止金具１２は、鉄から作られた断面円柱状の金属棒であり、設置金具１１の係止部１４（係止域３９）に係止される一端部４６と、デッキプレート５０の第２端部材７１（デッキプレート５０の端縁部５６）に係止される他端部４７（フック４９）とを有する。なお、繋止金具１２がステンレス板、アルミ板、銅板、真鍮板等の他の金属から作られていてもよい。繋止金具１２の一端部４６には、軸方向へ延びる螺子部分４８（引っ掛け部分４８）が形成されている。螺子部分４８には、繋止金具１２の一端部４６の周縁から径方向内方へ凹む複数の螺子溝とそれら螺子溝の間に延びる複数の螺子山とが形成されている。
【００５７】
なお、引っ掛け部分４８として、螺子部分４８の他に、繋止金具１２の一端部４６の周縁に形成された軸方向へ並ぶ複数の溝であってもよい。それら溝は、繋止金具１２の一端部４６の周縁から径方向内方へ凹む。繋止金具１２の他端部４７は、一端部４６の側に向かって折り曲げられてフック４９を形成している。なお、スリット４０の幅方向の開口寸法は、繋止金具１２の一端部４６の直径（径）よりも小さい。
【００５８】
図７は、デッキプレート連結部材１０Ａを利用してＨ形鋼５１ａのフランジ５２に連結されるデッキプレート５０の一例を示す斜視図であり、図８は、デッキプレート連結部材１０Ａを利用してデッキプレート５０をＨ形鋼５１ａのフランジ５２に連結する連結手順の一例を説明する図である。図９は、図８から続く連結手順を説明する図であり、図１０は、設置金具１１をＨ形鋼５１ａのフランジ５２に取り付けた後の側面図である。
【００５９】
図８〜図１０では、梁としてＨ形鋼５１ａを図示しており、したがって、梁を形成する鋼材５１はＨ形鋼５１ａになる。なお、デッキプレート連結部材１０Ａ（デッキプレート連結部材１０Ｂを含む）は、図６に示すデッキプレート５０のみならず、あらゆる形状や構造のデッキプレートに使用することができ、あらゆる形状や構造のデッキプレートを鋼材５１に連結するデッキプレート連結方法において利用することができる。
【００６０】
デッキプレート連結方法では、Ｈ形鋼５１ａ（鋼材５１）のフランジ５２に嵌め込む嵌合部１３及び嵌合部１３に繋がる係止部１４を有してＨ形鋼５１ａのフランジ５２に設置される（嵌め込まれる）図１の設置金具１１と、設置金具１１の係止部１４（係止域３９）に係止される一端部４６及びデッキプレート５０の第２端部材７１（端縁部５６）に係止される他端部４７を有してデッキプレート５０と設置金具１１とを繋ぐ繋止金具１２とが利用される。
【００６１】
デッキプレート連結部材１０Ａ（デッキプレート連結部材１０Ｂを含む）を利用してＨ形鋼５１ａのフランジ５２に連結されるデッキプレート５０は、鉄筋コンクリート建造物の床スラブや天井スラブの構築に使用される。デッキプレート５０は、所定面積を有する前後方向へ長い金属ベース５３と、金属ベース５３の上面５７に設置された鉄筋トラス５４とから形成されている。図１では、金属ベース５３に２つの鉄筋トラス５４が設置されているが、鉄筋トラス５４の数に特に制限はなく、構築する床スラブや天井スラブの大きさ、必要な鉄筋の量等に応じて１つの鉄筋トラス５４や３つ以上の鉄筋トラス５４が金属ベース５３に設置されていてもよい。
【００６２】
金属ベース５３には、鉄板が使用されているが、鉄板の他に、アルミニウム板やステンレス板、チタン板等を使用することもできる。金属ベース５３は、前後方向へ延びる両側縁部５５と、幅方向へ延びる両端縁部５６と、略フラットな上面５７及び略フラットな下面５８とを有する。金属ベース５３の上下面５７，５８には、メッキ処理が施されている。なお、金属ベース５３の面積に特に限定はなく、構築する床スラブや天井スラブの大きさに応じてその面積を自由に決定することができる。
【００６３】
金属ベース５３の一方の側縁部５５には、第１係合部５９が作られ、他方の側縁部５５には、第２係合部６０が作られている。第１係合部５９は、金属ベース５３の一方の側縁部５５の一部を金属ベース５３の上面５７の側に向かって折り曲げることから作られている。第２係合部６０は、金属ベース５３の他方の側縁部５５の一部を金属ベース５３の下面５８の側に向かって折り曲げることから作られている。各金属ベース５３は、一方の金属ベース５３の第１係合部５９と他方の金属ベース５３の第２係合部６０とを係合させる（引っ掛ける）ことで、各金属ベース５３を幅方向へつなげ、複数のデッキプレート５０を連結した状態で幅方向へ並べることができる。
【００６４】
金属ベース５３には、その上面５７から上方へ凸となる複数の凸部６１（突条）が形成されている。それら凸部６１は、金属ベース５３の両側縁部５５の間に位置して幅方向へ等間隔離間（所定間隔離間）して並び、一方の端縁部５６から他方の端縁部５６に向かって前後方向へ延びている。それら凸部６１は、金属ベース５３の一部分を幅方向内方へ折り曲げ、金属ベース５３の一部分をその上面５７から上方へ向かって山折りにすることで作られている。それら凸部６１は、上下方向への高さ寸法が３〜１０ｍｍであり、正面形状が円弧に成形されている。
【００６５】
それら鉄筋トラス５４は、金属ベース５３の両側縁部５５の間に配置されて幅方向へ等間隔離間（所定間隔離間）して並び、デッキプレート５０の一方の端縁部５６から他方の端縁部５６に向かって前後方向へ延びている。鉄筋トラス５４は、１本の上端筋６２と２本（一対）の下端筋６３と２本（一対）の第１および第２ラチス筋６４とから組み立てられている。上端筋６２やそれら下端筋６３、第１および第２ラチス筋６４は、鉄を延伸した鉄棒から作られている。上端筋６２及び下端筋６３には、その周面に複数の節（リブ）を有する異形鉄棒（異形鉄筋）が使用されている。
【００６６】
上端筋６２は、幅方向に隣接する凸部６１の間に位置し、金属ベース５３の上面５７から上方へ離間して前後方向へ直状に延びている。下端筋６３は、幅方向に隣接する凸部６１の間に位置（凸部６１から内側へ所定寸法離間して位置）するとともに、それらラチス筋６４の外側に位置し、上端筋６２の下方であって上端筋６２の幅方向両側に位置している。
【００６７】
第１および第２ラチス筋６４は、幅方向に隣接する凸部６１の間に位置（凸部６１から内側へ所定寸法離間して位置）するとともに、金属ベース５３の上面５７と上端筋６２との間に位置している。第１および第２ラチス筋６４は、金属ベース５３の上面５７と上端筋６２との間で上下方向へ波状に曲折（起伏）を繰り返しながら前後方向へ延びている。それらラチス筋６４は、上端筋６２の側に位置して上方へ向かって凸となるように弧を画く上端凸部６５と、金属ベース５３の上面５７の側に位置する下端凹部６６と、上端凸部６５および下端凹部６６の間において前後方向へ傾斜して延びる中間部６７とを有する。それらラチス筋６４は、上端凸部６５から下端凹部６６に向かって幅方向外方へ末広がりになっている。
【００６８】
第１および第２ラチス筋６４の上端凸部６５は、上端筋６２の幅方向両側（周面）に当接した状態で、上端凸部６５のうちの上端筋６２と交差する部分（交差箇所）が上端筋６２にスポット溶接によって溶着（固定）されている。それらラチス筋６４の中間部６７は、それら下端筋６３の内側に位置し、中間部６７のうちの下端筋６３と交差する部分（交差箇所）が下端筋６３にスポット溶接によって溶着（固定）されている。第１および第２ラチス筋６４の下端凹部６６は、金属ベース５３の上面５７と並行するように幅方向外方へ折り曲げられ、幅方向外方へ向かって凸となるように弧を画いている。下端凹部６６には、幅方向外方へ延びる屈曲部分６８が形成されている。下端凹部６６の曲折部分６８は、金属ベース５３の凸部６１の上に位置し、曲折部分６８のうちの凸部６１と交差する部分が凸部６１にスポット溶接によって溶着（固定）されている。
【００６９】
デッキプレート５０の両端縁部５６には、端部材６９が設置・固定されている。端部材６９は、鉄棒から作られ、幅方向へ延びる第１端部材７０と上下方向へ延びるＬ字型の第２端部材７１とから形成されている。第１端部材７０は、下端筋６３の端部の上に載置され、下端筋６３の端部と交差する部分（交差箇所）が下端筋６３にスポット溶接によって溶着（固定）されている。第２端部材７１は、下端筋６３の端部の間に配置され、上端筋６２と交差する部分（交差箇所）が上端筋６２にスポット溶接によって溶着（固定）されているとともに、第１端部材７０と交差する部分（交差箇所）が第１端部材７０にスポット溶接によって溶着（固定）されている
【００７０】
デッキプレート連結部材１０Ａを利用したデッキプレート連結方法は、設置金具１１の嵌合部１３をＨ形鋼５１ａ（鋼材５１）のフランジ５２に嵌め込んで設置金具１１をＨ形鋼５１ａのフランジ５２に取り付ける嵌合工程と、繋止金具１２の他端部４７をデッキプレート５０の第２端部材７１（端縁部５６）に係止・固定する（引っ掛ける）とともに、繋止金具１２の一端部４６を設置金具１１の係止域３９（係止部１４）に係止・固定してデッキプレート５０をＨ形鋼５１ａのフランジ５２に連結する連結工程とを有する。デッキプレート連結方法では、嵌合工程と連結工程とを実施することで、デッキプレート５０がＨ形鋼５１ａ（鋼材５１）のフランジ５２に連結される。
【００７１】
嵌合工程では、図８に示すように、デッキプレート連結金具１０Ａの設置金具１１の第４板１８を把持し、設置金具１１の第１板１５の後端縁２２を含むその近傍（後端部）をＨ形鋼５１ａのフランジ５２の下面７３の側に位置させた後、第１板１５の後端縁２２を含むその近傍をフランジ５２の下面７３に当接させる。次に、第１板１５の後端縁２２を含むその近傍をフランジ７３の下面に引っ掛けた状態で、図８に矢印Ｃ１で示すように、第４板１８を上方へ引き上げ、第１板１５の弾性力に抗して第１板１５を下方へ押圧するように第１板１５に上下方向下方への力を作用させるとともに、第３板１７の弾性力に抗して第３板１７を上方へ押圧するように第３板１７に上下方向上方への力を作用させ、第１及び第３板１５，１７を上下方向へ拡げる（上下方向へ離間させる）。
【００７２】
第１及び第３板１５，１７を上下方向へ拡げて第１板１３の後端縁２２と第３板１７の後端縁３２との間の離間寸法Ｌ５（図４参照）をフランジ５２の厚み寸法よりも大きくしつつ、図９に矢印Ａ１で示すように、設置金具１１（第１板１５及び第３板１７）を前後方向後方へスライドさせて第１板１５と第３板１７との間にＨ形鋼５１ａのフランジ５２を挿入し、嵌合部１３をＨ形鋼５１ａのフランジ５２に嵌め込む。第２板１６の後面２５がフランジ５２の端面７４に当接した時点で、第４板１８を離して第１板１５に作用させた上下方向下方への力を解除し、第３板１７に作用させた上下方向上方への力を解除する。
【００７３】
第１板１５や第３板１７に作用させた力を解除すると、図１０に示すように、第１板１５や第３板１７が弾性変形して第１板１５の上面１９の略全域がフランジ５２の下面７３に当接（密着）し、第２板１６の後面２５がフランジ５２の端面７４に当接（密着）又は近接するとともに、第３板１７の下面３０の略全域がフランジ５２の上面７２に当接（密着）し、第１板１５と第３板１７とがフランジ５２を挟み込んだ状態で嵌合部１３がフランジ５２に嵌め込まれ、嵌合部１３を介して設置金具１１がＨ形鋼５１ａのフランジ５２に取り付けられる。既述の手順によってＨ形鋼５１ａのフランジ５２に複数の設置金具１１を取り付ける。それら設置金具１１は、Ｈ形鋼５１ａのフランジ５２において幅方向へ所定寸法離間した状態で並ぶ。
【００７４】
デッキプレート連結部材１０Ａ及びデッキプレート連結部材１０Ａを利用したデッキプレート連結方法は、第１板１５の前端縁２１から後端縁２２までの長さ寸法Ｌ１（図４参照）が第３板１７の前端縁３１から後端縁３２までの長さ寸法Ｌ６（図６参照）よりも長く、第１板１５の後端縁２２を含むその近傍（後端部）が第３板１７の後端縁３２の前後方向後方に位置し、第１板１５の後端縁２２を含むその近傍をＨ形鋼５１ａ（鋼材５１）のフランジ５２の下面７３に引っ掛けた状態で第１板１５と第３板１７とが上下方向へ離間するようにそれら板１５，１７を上下方向へ拡げ、その状態で第１〜第３板１５〜１７から形成された嵌合部１３をフランジ５２に嵌め込むことができるから、嵌合部１３をフランジ５２に容易に嵌め込むことができ、嵌合部１３を介して設置金具１１をＨ形鋼５１ａのフランジ５２に迅速に取り付けることができる。
【００７５】
デッキプレート連結部材１０Ａ及びデッキプレート連結部材１０Ａを利用したデッキプレート連結方法は、第１及び第３板１５，１７の弾性力に抗して第１及び第３板１５，１７を上下方向へ拡げ、その状態で第１〜第３板１５〜１７から形成された嵌合部１３をＨ形鋼５１ａ（鋼材５１）のフランジ５２に嵌め込むことで、第１板１５がフランジ５２の下面７３に当接（密着）し、第２板１６がフランジ５２の端面７４に当接（密着）するとともに、第３板１８がフランジ５２の上面７２に当接（密着）するから、第１及び第３板１５，１７の弾性変形を利用してそれら板１５〜１７をフランジ５２に密着させることができる。
【００７６】
デッキプレート連結部材１０Ａ及びデッキプレート連結部材１０Ａを利用したデッキプレート連結方法は、第１及び第３板１５，１７の弾性力に抗して第１板１５と第３板１７とが上下方向へ離間するようにそれら板１５，１７を上下方向へ拡げ、その状態で第１〜第３板１５〜１７から形成された嵌合部１３をＨ形鋼５１ａ（鋼材５１）のフランジ５２に嵌め込むことで、第１及び第３板１５，１７が弾性変形してフランジ５２を強く挟み込むから、第１及び第３板１５，１７の弾性変形（挟持力）を利用してそれら板１５〜１７をフランジ５２に密着させることができ、フランジ５２に対して設置金具１１が不用意に遊動することはなく、嵌合部１３を介して設置金具１１をＨ形鋼５１ａのフランジ５２に確実に取り付けることができる。
【００７７】
図１１は、設置金具１１の第３板１７の上面２９にデッキプレート５０の端縁部５６を載置した後の側面図であり、図１２は、図１１から続く連結手順を説明する図である。図１３は、デッキプレート連結部材１０Ａを利用してデッキプレート５０をＨ形鋼５１ａのフランジ５２に連結した後の部分拡大側面図である。図１１〜図１３では、デッキプレート５０の他方の端縁部５６の図示を省略している。複数の設置金具１１をＨ形鋼５１ａのフランジ５２に取り付けた後（嵌合工程の後）、連結工程が実施される。連結工程では、デッキプレート５０の第２端部材７１が第４板１８（係合部１４）に形成されたスリット４０に対向するように、それら設置金具１１の第３板１７の上面２９にデッキプレート５０の両端縁部５６を載置する（載せる）。
【００７８】
デッキプレート５０は、一方の金属ベース５３の第１係合部５９と他方の金属ベース５３の第２係合部６０とを係合させ、複数のデッキプレート５０が幅方向へ連結され、複数のデッキプレート５０がＨ形鋼５１ａのフランジ５２に沿って幅方向へ連続して並ぶ。なお、設置金具１１の第３板１７の上面２９にデッキプレート５０の両端縁部５６を載置する前、又は、第３板１７の上面２９にデッキプレート５０の両端縁部５６を載置した後に、設置金具１１をＨ形鋼５１ａ（鋼材５１）のフランジ５２において幅方向へスライドさせ、フランジ５２における設置金具１１の位置を微調整し、デッキプレート５２の第２端部材７１を第４板１８（係合部１３）のスリット４０に対向させる。
【００７９】
第３板１７の上面２９にデッキプレート５０の両端縁部５６を載置した後、図１２に示すように、繋止金具１２の一端部４６が設置金具１１の係止部１４(第４板１８)に対向するように、繋止金具１２をデッキプレート５０の端縁部５６であって第１および第２ラチス筋６４の間に位置させる。次に、繋止金具１２のフック４９（他端部４７）を第２端部材７１に引っ掛けるように（係止させるように）、繋止金具１２を前後方向後方へ移動させ、繋止金具１２の一端部４６を第４板１８に形成されたスリット４０に挿入する。又は、繋止金具１２の一端部４６を第４板１８のスリット４０の頂部（第４板１８の上端部３７）に位置させ、繋止金具１２の一端部４６を上下方向下方へ押圧し、一端部４６をスリット４０に押し入れる（挿入する）。なお、繋止金具１２のフック４９（他端部４７）を第２端部材７１ではなく第１ラチス筋６４又は第２ラチス筋６４に引っ掛ける場合がある。
【００８０】
スリット４０の幅方向の開口寸法が繋止金具１２の一端部４６の直径よりも小さいから、繋止金具１２の一端部４６をスリット４０に挿入し、又は、繋止金具１２の一端部４６をスリット４０に押し入れると、繋止金具１２の一端部４６が第４板１８に形成された第１板部分４１と第２板部分４２とを前後方向後方へ押圧するとともに、繋止金具１２の一端部４６が第１及び第２板部分４１，４２を押し広げ、第４板１８の第１板部分４１と第２板部分４２とが前後方向へ弾性変形する。
【００８１】
繋止金具１２の一端部４６を更に軸方向後方へ移動させると、繋止金具１２の一端部４６に形成された螺子部分４８（引っ掛け部分４８）の螺子溝が第１板部分４１と第２板部分４２との互いに対向する端縁に順次引っ掛かり、繋止金具１２のフック４９（他端部４７）が第２端部材７１に当接した時点で、繋止金具１２の一端部４６の前後方向後方への移動が停止し、螺子部分４８（引っ掛け部分４８）の螺子溝が第１及び第２板部分４１，４２の端縁に引っ掛かり、繋止金具１２のフック４９（他端部４７）がデッキプレート５０の第２端部材７１（端縁部５６）に引っ掛かるとともに（係止・固定されるとともに）、繋止金具１２の一端部４６が設置金具１１の係止域３９（係止部１４）に係止・固定される。
【００８２】
デッキプレート連結部材１０Ａ及びデッキプレート連結方法では、繋止金具１２のフック４９（他端部４７）がデッキプレート５０の第２端部材７１（端縁部５６）に引っ掛かるとともに（係止・固定されるとともに）、繋止金具１２の一端部４６の螺子部分４８（引っ掛け部分４８）が設置金具１１の係止域３９（係止部１４）に係止・固定されることで、デッキプレート５０がＨ形鋼５１ａ（鋼材５１）のフランジ５２に連結される。既述の手順で繋止金具１２のフック４９（他端部４７）をデッキプレート５０の第２端部材７１（端縁部５６）に引っ掛かるとともに、繋止金具１２の一端部４６を設置金具１１の係止域３９（係止部１４）に係止・固定することで、全てのデッキプレート５０をＨ形鋼５１ａ（鋼材５１）のフランジ５２に連結する。
【００８３】
デッキプレート連結部材１０Ａ及びデッキプレート連結部材１０Ａを利用したデッキプレート連結方法は、繋止金具１２のフック４９（他端部４７）がデッキプレート５０の第２端部材７１（端縁部５６）に引っ掛かるとともに（係止・固定されるとともに）、第４板１８の第１板部分４１と第２板部分４２とが前後方向へ弾性変形しつつ、繋止金具１２の一端部４６に形成された螺子部分４８（引っ掛け部分４８）が第１板部分４１と第２板部分４２との互いに対向する端縁に引っ掛かり、繋止金具１２の一端部４６が係止域３９（係止部１４）に係止・固定されるから、第４板１８の第１板部分４１と第２板部分４２との間に繋止金具１２の一端部４６を確実に係止・固定することができ、設置金具１１と繋止金具１２とを利用することでＨ形鋼５１ａ（鋼材５１）（梁）のフランジ５２とデッキプレート５０とを確実に連結することができる。
【００８４】
デッキプレート連結部材１０Ａ及びデッキプレート連結部材１０Ａを利用したデッキプレート連結方法は、第１〜第３板１５〜１７から形成された嵌合部１３をＨ形鋼５１ａ（鋼材５１）のフランジ５２に嵌め込み、繋止金具１２のフック４９（他端部４８）をデッキプレート５０の第２端部材７１（端縁部５６）に引っ掛け（係止・固定し）、繋止金具１２の一端部４６に形成された螺子部分４８（引っ掛け部分４８）を前後方向前方から後方へ向かって傾斜する第１板部分４１と第２板部分４２との互いに対向する端縁（係止域）に引っ掛けることで（係止・固定することで）、Ｈ形鋼５１ａ（鋼材５１））のフランジ５２とデッキプレート５０とを連結することができるから、溶接作業が不要となり、溶接作業にともなう手間や時間を省くことができ、Ｈ形鋼５１ａ（鋼材５１）（梁）のフランジ５２とデッキプレート５０とを迅速かつ効率的に連結することができるとともに、Ｈ形鋼５１ａのフランジ５２とデッキプレート５０との連結作業において火花が発生することはなく、火気を嫌う場所においてＨ形鋼５１ａのフランジ５２とデッキプレート５０とを安全に連結することができる。
【００８５】
デッキプレート連結部材１０Ａ及びデッキプレート連結部材１０Ａを利用したデッキプレート連結方法は、スリット４０が第４板１８の上端縁３７から下端縁３６に向かって上下方向へ延びており、スリット４０が上下方向へ所定の長さ寸法を有するから、デッキプレート５０の第２端部材７１（端縁部５６）に対する繋止金具１２のフック４９（他端部４７）の係止・固定位置を上下方向へ移動させ、繋止金具１２のフック４９（他端部４７）の係止・固定位置を調整しつつ繋止金具１２の一端部４６をスリット４０に挿入することができ、デッキプレート５０の第２端部材７１（端縁部５６）に対する繋止金具１２のフック４９（他端部４７）の係止・固定位置にかかわらず、設置金具１１と繋止金具１２とを利用してＨ形鋼５１ａ（鋼材５１）（梁）のフランジ５２とデッキプレート５０とを連結することができる。
【００８６】
図１４は、他の一例として示す繋止金具７５の斜視図であり、図１５は、図１０から続く連結手順の他の一例を説明する図である。図１６は、デッキプレート連結部材１０Ｂを利用してデッキプレート５０をＨ形鋼５１ａ（鋼材５１）のフランジ５２に連結した後の上面図である。図１５，１６では、デッキプレート５０の他方の端縁部５６の図示を省略している。
【００８７】
このデッキプレート連結部材１０Ｂが図１のそれと異なるところは、繋止金具７５が幅方向へ所定寸法離間する２つ（一対）の一端部７６とそれら一端部７６の間に位置する他端部７７とから形成された鎹状に成形されている点にあり、その他の構成は図１のデッキプレート連結金具１０Ａのそれらと同一であるから、図１のデッキプレート連結金具１０Ａの説明を援用するとともに、図１と同一の符号を付すことで、このデッキプレート連結金具１０Ｂのその他の構成の詳細な説明は省略する。
【００８８】
デッキプレート連結部材１０Ｂは、Ｈ形鋼５１ａ（鋼材５１）のフランジ５２に設置される設置金具１１と、デッキプレート５０と設置金具１１とを繋ぐ繋止金具７５とから形成されている。設置金具１１は、デッキプレート連結部材１０Ａのそれと同一である（図１〜図５参照）。繋止金具７５は、鉄から作られた鎹状の金属棒であり、設置金具１１の係止部１４（係止域３９）に係止される２つ（一対）の一端部７６と、デッキプレート５０の第２端部材７１（端縁部５６）に係止される他端部７７とを有する。なお、繋止金具７５がステンレス板、アルミ板、銅板、真鍮板等の他の金属から作られていてもよい。繋止金具７５のそれら一端部７６には、軸方向へ延びる螺子部分７８（引っ掛け部分７８）が形成されている。螺子部分７８には、繋止金具７５の一端部７６の周縁から径方向内方へ凹む複数の螺子溝とそれら螺子溝の間に延びる複数の螺子山とが形成されている。
【００８９】
繋止金具７５の他端部７７は、それら一端部７６に繋がって前後方向へ延びた後、略直角に折り曲げられて幅方向へ延びている。繋止金具７５の他端部７７は、幅方向へ隣接するデッキプレート５０の第２端部材７１（端縁部５６）に引っ掛けられる。なお、繋止金具７５のそれら一端部７６に形成される引っ掛け部分７８として、螺子部分７８の他に、繋止金具７５の一端部７６の周縁に形成された軸方向へ並ぶ複数の溝であってもよい。それら溝は、繋止金具７５の一端部７６の周縁から径方向内方へ凹む。なお、スリット４０の幅方向の開口寸法は、繋止金具７５のそれら一端部７６の直径よりも小さい。
【００９０】
デッキプレート連結部材１０Ｂを利用したデッキプレート連結方法は、設置金具１１の嵌合部１３をＨ形鋼５１ａ（鋼材５１）のフランジ５２に嵌め込んで設置金具１１をＨ形鋼５１ａのフランジ５２に取り付ける嵌合工程と、繋止金具７５の他端部７７をデッキプレート５０の第２端部材７１（端縁部５６）に係止・固定する（引っ掛ける）とともに、繋止金具７５のそれら一端部７６を幅方向に隣接する２つの設置金具１１の係止域３９（係止部１４）に係止・固定してデッキプレート５０をＨ形鋼５１ａのフランジ５２に連結する連結工程とを有する。
【００９１】
嵌合工程は、デッキプレート連結部材１０Ａを利用したデッキプレート連結方法のそれと同一である（図７〜図１０参照）。複数の設置金具１１をＨ形鋼５１ａのフランジ５２に取り付けた後（嵌合工程の後）、連結工程が実施される。連結工程では、デッキプレート５０の第２端部材７１が第４板１８（係合部１４）に形成されたスリット４０に対向するように、それら設置金具１１の第３板１７の上面２９にデッキプレート５０の両端縁部５６を載置する（載せる）。
【００９２】
設置金具１１の第３板１７の上面２９にデッキプレート５０の両端縁部５６を載置する前、又は、第３板１７の上面２９にデッキプレート５０の両端縁部５６を載置した後に、それら設置金具１１をＨ形鋼５１ａ（鋼材５１）のフランジ５２において幅方向へスライドさせ、フランジ５２におけるそれら設置金具１１の位置を微調整し、デッキプレート５０のそれら第２端部材７１を第４板１８（係合部１４）のスリット４０に対向させる。
【００９３】
第３板１７の上面２９にデッキプレート５０の両端縁部５６を載置した後、図１５に示すように、繋止金具７５のそれら一端部７６が幅方向へ隣接するそれら設置金具１１の係止部１４(第４板１８)に対向するように、繋止金具７５をデッキプレート５０の端縁部５６であって幅方向へ隣接する鉄筋トラス５４の間に位置させる。繋止金具７５の一方の一端部７６が一方の鉄筋トラス５４であってその鉄筋トラス５４の第１および第２ラチス筋６４の間に位置し、繋止金具７５の他方の一端部７６が他方の鉄筋トラス５４であってその鉄筋トラス５４の第１および第２ラチス筋６４の間に位置する。
【００９４】
次に、繋止金具７５の他端部７７をデッキプレート５０の第２端部材７１（端縁部５６）に引っ掛けるように（係止させるように）、繋止金具７５を前後方向後方へ移動させ、繋止金具７５の一方の一端部７６を一方の設置金具１１の第４板１８に形成されたスリット４０に挿入し、繋止金具７５の他方の一端部７６を他方の設置金具１１の第４板１８に形成されたスリット４０に挿入する。又は、繋止金具７５の一方の一端部７６を一方の第４板１８のスリット４０の頂部（第４板１８の上端部３７）に位置させ、繋止金具７５の他方の一端部７６を他方の第４板１８のスリット４０の頂部（第４板１８の上端部３７）に位置させ、繋止金具７５のそれら一端部７６を上下方向下方へ押圧し、それら一端部７６をスリット４０に押し入れる（挿入する）。なお、繋止金具７５の他端部７７を第２端部材７１ではなく第１ラチス筋６４又は第２ラチス筋６４に引っ掛ける場合がある。また、幅方向へ隣接する２つ以上のデッキプレート５０の第２端部材７１又は第１及び第２ラチス筋６４に繋止金具７５の他端部７７を引っ掛け、幅方向に並ぶ２つ以上のデッキプレート５０を連結する場合もある。
【００９５】
スリット４０の幅方向の開口寸法が繋止金具７５の一端部７６の直径よりも小さいから、繋止金具７５のそれら一端部７６を各スリット４０に挿入し、又は、繋止金具７５のそれら一端部７６をスリット４０に押し入れると、繋止金具７５の一方の一端部７６が一方の設置金具１１の第４板１８に形成された第１板部分４１と第２板部分４２とを前後方向後方へ押圧し、繋止金具７５の他方の一端部７６が他方の設置金具１１の第４板１８に形成された第１板部分４１と第２板部分４２とを前後方向後方へ押圧するとともに、繋止金具７５のそれら一端部７６が第１及び第２板部分４１，４２を押し広げ、それら設置金具１１の第４板１８の第１板部分４１と第２板部分４２とが前後方向へ弾性変形する。
【００９６】
繋止金具７５のそれら一端部７６を更に軸方向後方へ移動させると、繋止金具７５の一端部７６に形成された螺子部分７８（引っ掛け部分７８）の螺子溝が第１板部分４１と第２板部分４２との互いに対向する端縁に順次引っ掛かり、繋止金具７５の他端部７７が一方の鉄筋トラス５４の第２端部材７１（端縁部５６）と他方の鉄筋トラス５４の第２端部材７１（端縁部５６）とに当接した時点で、繋止金具７５の一端部７６の前後方向後方への移動が停止し、螺子部分７８（引っ掛け部分７８）の螺子溝が第１及び第２板部分４１，４２の端縁に引っ掛かり、繋止金具７５の他端部７７がデッキプレート５０の第２端部材７１（端縁部５６）に引っ掛かるとともに（係止・固定されるとともに）、繋止金具７５の一端部７６が設置金具１１の係止域３９（係止部１４）に係止・固定される。
【００９７】
デッキプレート連結部材１０Ｂ及びデッキプレート連結部材１０Ｂを利用したデッキプレート連結方法では、繋止金具７５の他端部７７が幅方向へ隣接する一方の鉄筋トラス５４の第２端部材７１（端縁部５６）と他方の鉄筋トラス５４の第２端部材７１（端縁部５６）とに引っ掛かるとともに（係止・固定されるとともに）、繋止金具７５のそれら一端部７６の螺子部分７８（引っ掛け部分７８）が横方向へ隣接するそれら設置金具１１の係止域３９（係止部１４）に係止・固定されることで、デッキプレート５０がＨ形鋼５１ａ（鋼材５１）のフランジ５２に連結される。既述の手順で繋止金具７５の他端部７７を幅方向へ隣接するデッキプレート５０の第２端部材７１（端縁部５６）に引っ掛かるとともに、繋止金具７５のそれら一端部７６をそれら設置金具１１の係止域３９（係止部１４）に係止・固定することで、全てのデッキプレート５０をＨ形鋼５１ａ（鋼材５１）のフランジ５２に連結する。
【００９８】
デッキプレート連結部材１０Ｂ及びデッキプレート連結部材１０Ｂを利用したデッキプレート連結方法は、繋止金具７５の他端部７７が横方向へ隣接するそれら鉄筋トラス５４の第２端部材７１（デッキプレート５０の端縁部５６）に引っ掛かるとともに（係止・固定されるとともに）、横方向へ隣接するそれら設置金具１１の第４板１８の第１板部分４１と第２板部分４２とが前後方向へ弾性変形しつつ、繋止金具７５の一端部７６に形成された螺子部分７８（引っ掛け部分７８）が第１板部分４１と第２板部分４２との互いに対向する端縁に引っ掛かり、繋止金具７５の一端部７６が係止域３９（係止部１４）に係止・固定されるから、第４板１８の第１板部分４１と第２板部分４２との間に繋止金具７５の一端部７６を確実に係止・固定することができ、設置金具１１と繋止金具７５とを利用することでＨ形鋼５１ａ（鋼材５１）（梁）のフランジ５２とデッキプレート５０とを確実に連結することができる。
【００９９】
デッキプレート連結部材１０Ｂ及びデッキプレート連結部材１０Ｂを利用したデッキプレート連結方法は、第１〜第３板１５〜１７から形成された嵌合部１３をＨ形鋼５１ａ（鋼材５１）のフランジ５２に嵌め込み、繋止金具７５の他端部７７を横方向へ隣接するそれら鉄筋トラス５４の第２端部材７１（デッキプレート５０の端縁部５６）に引っ掛け（係止・固定し）、繋止金具７５の一端部７６に形成された螺子部分７８（引っ掛け部分７８）を前後方向前方から後方へ向かって傾斜する第１板部分４１と第２板部分４２との互いに対向する端縁（係止域３９）に引っ掛けることで（係止・固定することで）、Ｈ形鋼５１ａ（鋼材５１）のフランジ５２とデッキプレート５０とを連結することができるから、溶接作業が不要となり、溶接作業にともなう手間や時間を省くことができ、Ｈ形鋼５１ａ（梁）のフランジ５２とデッキプレート５０とを迅速かつ効率的に連結することができるとともに、Ｈ形鋼５１ａのフランジ５２とデッキプレート５０との連結作業において火花が発生することはなく、火気を嫌う場所においてＨ形鋼５１ａ（鋼材５１）のフランジ５２とデッキプレート５０とを安全に連結することができる。
【０１００】
デッキプレート連結部材１０Ｂ及びデッキプレート連結部材１０Ｂを利用したデッキプレート連結方法は、スリット４０が第４板１８の上端縁３７から下端縁３６に向かって上下方向へ延びており、スリット４０が上下方向へ所定の長さ寸法を有するから、それら鉄筋トラス５４の第２端部材７１（デッキプレート５０の端縁部５６）に対する繋止金具７５の他端部７７の係止・固定位置を上下方向へ移動させ、繋止金具７５の他端部７７の係止・固定位置を調整しつつ繋止金具７５のそれら一端部７６をスリット４０に挿入することができ、それら鉄筋トラス５４の第２端部材７１（デッキプレート５０の端縁部５６）に対する繋止金具７５の他端部７７の係止・固定位置にかかわらず、設置金具１１と繋止金具７５とを利用してＨ形鋼５１ａ（鋼材５１）（梁）のフランジ５２とデッキプレート５０とを連結することができる。
【符号の説明】
【０１０１】
１０Ａ  デッキプレート連結部材
１０Ｂ  デッキプレート連結部材
１１    設置金部
１２    繋止金具
１３    嵌合部
１４    係止部
１５    第１板
１６    第２板
１７    第３板
１８    第４板
１９    上面
２０    下面
２１    前端縁
２２    後端縁
２３    両側縁
２４    前面
２５    後面
２６    下端縁
２７    上端縁
２８    両側縁
２９    上面
３０    下面
３１    前端縁
３２    後端縁
３３    両側縁
３４    前面
３５    後面
３６    下端縁
３７    上端縁
３８    両側縁
３９    係止域
４０    スリット
４１    第１板部分
４２    第２板部分
４３    第１折曲線
４４    切断線
４５    第２折曲線
４６    一端部
４７    他端部
４８    螺子部分（引っ掛け部分）
４９    フック
５０    デッキプレート
５１    鋼材
５１ａ  Ｈ形鋼
５２    フランジ
５３    金属ベース
５４    鉄筋トラス
５５    両側縁部
５６    両端縁部
５７    上面
５８    下面
５９    第１係合部
６０    第２係合部
６１    凸部
６２    上端筋
６３    下端筋
６４    ラチス筋
６５    上端凸部
６６    下端凹部
６７    中間部
６８    屈曲部分
６９    端部材
７０    第１端部材
７１    第２端部材
７２    上面
７３    下面
７４    端面
７５    繋止金具
７６    一端部
７７    他端部
７８    螺子部分（引っ掛け部分）
【図１】
2020186602.tif 000003
【図２】
2020186602.tif 000004
【図３】
2020186602.tif 000005
【図４】
2020186602.tif 000006
【図５】
2020186602.tif 000007
【図６】
2020186602.tif 000008
【図７】
2020186602.tif 000009
【図８】
2020186602.tif 000010
【図９】
2020186602.tif 000011
【図１０】
2020186602.tif 000012
【図１１】
2020186602.tif 000013
【図１２】
2020186602.tif 000014
【図１３】
2020186602.tif 000015
【図１４】
2020186602.tif 000016
【図１５】
2020186602.tif 000017
【図１６】
2020186602.tif 000018